(57)【特許請求の範囲】
【請求項１】
環状の紐と、
前記環状の紐をローラ保持環と装着環よりなる８の字状に区分するように紐を重ねて保持する調整具であって、前記紐上をスライドして前記ローラ保持環の全長を調整する調整具と、
前記ローラ保持環の紐に回転可能に取り付けられて足裏を押圧する突起付ローラと、
前記装着環に取り付けられ前記装着環の全長を調節するスライド留め具とを備える足裏押圧具であって、
前記突起付ローラは、円柱形のローラ本体と、前記ローラ本体の中心軸方向の第１位置に周方向に隙間を有して設けられた複数の突起と、前記ローラ本体の中心軸方向の第２位置に周方向に隙間を有して設けられた複数の突起であって前記第１位置に設けられた複数の突起と周方向において異なる位置に設けられた複数の突起とを有し、
前記装着環に足首を通し前記スライド留め具を足首の後側に配置して前記装着環を足首に装着し、且つ前記ローラ保持環に足を通して前記調整具を足首の前側に配置し前記突起付ローラを足裏に接触させて、前記突起付ローラで足裏に押圧刺激を与える足裏押圧具。
【請求項２】
前記ローラ保持環の全長を調整することにより、突起付ローラの足裏上での可動範囲を調整する請求項１に記載の足裏押圧具。
【発明の詳細な説明】
【技術分野】
【０００１】
本発明は押圧具に関する。
【背景技術】
【０００２】
足の裏には身体の各器官に繋がる末梢神経が集中する領域（足裏反射区。俗に足つぼとも呼ばれている）が分布しており、古くより、足裏反射区に刺激を与えることで当該足裏反射区に繋がる器官に良好な影響を与えることができると考えられている。この考えに基づく療法は、足裏マッサージ、足つぼマッサージ、リフレクソロジーなど様々な名称で呼ばれているが、いずれも足裏反射区に刺激を与える点は共通している。
【０００３】
足裏反射区に刺激を与える場合には、指を用いるほか、青竹、足つぼマット、健康サンダル、足つぼローラなど様々な道具が使用されている。足つぼローラの一例は、特許文献１、２に開示されている。
【先行技術文献】
【特許文献】
【０００４】
【特許文献１】特開２００１−３５３２０２号公報
【特許文献２】特開２０１３−１８０１９１号公報
【発明の概要】
【発明が解決しようとする課題】
【０００５】
特許文献１に開示されるようなローラを用いて足裏に刺激を与える場合には、足裏でローラを操作して足裏の所望の位置をローラの突起部で押圧する。ここでローラは回転可能であるため、使用者がローラの操作を誤るとローラは足裏から離れて意図せぬ方向に転がり去ってしまう恐れがある。そのため使用者は、ローラが足裏から離れないように注意しながら操作する必要があり、マッサージを目的としながらストレスを感じることもあった。
【０００６】
特許文献２は、ローラにゴム紐をつけて、ローラが意図せぬ方向に転がり去ってしまうことを防止することを開示している。しかし、特許文献２のローラでは、ローラの移動範囲が規制されており、足裏の所望の位置を自在に刺激することができない。
【０００７】
また、回転が規制されたローラを用いた場合でも、このローラを足裏に保持するためには、使用者はローラの操作に注意を払う必要がある。
【０００８】
本発明は上記の課題を解決することを目的としており、押圧すべき身体部位の近傍に保持することが容易であり且つ自在な押圧を身体に付与することが可能な押圧具を提供することを目的とする。
【課題を解決するための手段】
【０００９】
本発明の第１の態様によれば、
身体の一部に押圧刺激を与えるための押圧具であって、
身体を押圧する押圧部材と、
前記押圧部材を回転可能に保持する押圧部材保持環と、
前記押圧具を身体に取り付けるための装着部とを有し、
前記装着部が前記押圧部材保持環に接続されている押圧具が提供される。
【００１０】
本発明の押圧具は、押圧具を身体に取り付けるための装着部を有しており、この装着部に取り付けられた押圧部材保持環を介して押圧部材が回転可能に保持されている。したがって、押圧部材を身体の近傍に保持することが可能であり且つ押圧部材を所望の位置に移動させることが可能である。
【００１１】
本発明の押圧具は、押圧部材保持環の寸法を調整するための調整部を有していてもよい。これにより、押圧部材保持環の寸法を変更して、押圧具の可動範囲を調整することができる。
【００１２】
本発明の押圧具において、調整部は前記押圧部材保持環と前記装着部との接続部に設けられていてもよい。このような配置とすれば、調整部が押圧部材保持環の移動の妨げとなることが抑制される。
【００１３】
本発明の押圧具において、押圧部材保持環と前記装着部とが一本の紐により形成されていてもよい。これにより部品点数を減らすことができ、押圧具の製造がより容易となる。
【００１４】
本発明の押圧具において、押圧部材は、略円柱形の本体部と、前記本体部から半径方向に延在する複数の突起とを有してもよく、本体部の中心軸を中心として回転可能なように前記押圧部材保持環に保持されていてもよい。このような構成により、身体により好適な押圧刺激を与えることができる。
【００１５】
本発明の押圧具において、複数の突起は、本体部の中心軸方向における第１位置及び第２位置に設けられていてもよく、複数の突起の頂面は、それぞれ中心軸を軸とする円柱の外周面上に延在する曲面であってもよく、前記複数の突起は、前記円柱の周方向に連続して配置されていてもよく、第１位置に設けられた突起の頂面と、該突起の頂面に周方向において隣接して第２位置に設けられた突起の頂面との間に周方向において５°〜１５°の隙間が設けられていてもよい。このような構成により、身体に好適な刺激を与えることが可能であり且つ良好に回転移動する押圧部材を備えた押圧具が得られる。
【００１６】
本発明の押圧具において、前記本体部の中心軸方向の寸法が５センチ以下であってもよい。この構成により、身体の所望の箇所をピンポイントで押圧することが容易となるとともに、押圧具をコンパクトにすることができる。
【００１７】
本発明の押圧具において、前記複数の突起は、前記複数の突起の頂面の中心が、前記本体部の中心軸方向及び周方向において１５ｍｍ以上離れるように設けられていてもよい。このような構成により、身体により好適な押圧刺激を与えることができる。
【００１８】
本発明の第２の態様によれば、
環状の紐と、
前記環状の紐を第１の環と第２の環よりなる８の字状に区分するように紐を重ねて保持するとともに、紐上をスライド可能なスライド保持具と、
前記第１の環の紐に回転可能に取り付けられて身体を押圧するローラと、
前記第２の環の環径を調節する調節具とを備える押圧具が提供される。
【００１９】
本発明の押圧具は、押圧具を身体に取り付けるための第２の環を有しており、この第２の環と一体に形成された第１の環にローラが回転可能に保持されている。したがって、第２の環を身体に装着してローラを身体の近傍に保持することが可能であり且つローラを所望の位置に移動させることが可能である。
【００２０】
また本発明の押圧具は、環状の紐を８の字状に区分して第１の環と第２の環を形成している。したがって部品点数が少なく製造が容易である。
【発明の効果】
【００２１】
本発明によれば、押圧すべき身体部位の近傍に保持することが容易であり且つ自在な押圧を身体に付与することが可能な押圧具が提供される。
【図面の簡単な説明】
【００２２】
【図１】図１は、本発明の実施形態にかかる押圧具の概略図である。
【図２】図２は、ローラの側面図である。
【図３】図３（ａ）、図３（ｂ）は押圧具の使用方法を示す説明図であり、図３（ａ）はローラ保持環の寸法が大きい場合を、図３（ｂ）はローラ保持環の寸法が小さい場合を示す。
【図４】図４はローラが足裏を移動する様子を示す。
【図５】図５は、本発明の変形例に係る押圧具の概略図である。
【図６】図６は、本発明の他の変形例に係る押圧具の概略図である。
【図７】図７は、ローラの変形例の側面図である。
【図８】図８（ａ）はローラの変形例の正面図であり、図８（ｂ）はローラの変形例の側面図である。
【図９】図９（ａ）はローラの他の変形例の正面図であり、図９（ｂ）はローラの他の変形例の側面図である。
【発明を実施するための形態】
【００２３】
以下、図１〜図４を参照して、本発明の実施形態を説明する。
【００２４】
本実施形態の押圧具１００は、円柱状のローラ１とそれを保持する保持部２とを主に有する。なお以下の説明においては、ローラ１において中心軸（回転軸）Ｘが延びる方向をローラ１及び押圧具１００の左右方向と呼び、図１の向かって右側、左側をそれぞれローラ１及び押圧具１００の右側、左側とする。
【００２５】
ローラ１は、略円柱形のローラ本体１１と、ローラ本体１１の外周面１１ａに設けられた複数の突起１２とを有する。ローラ本体１１の径方向の中央部には、円形の保持孔１１ｈが中心軸Ｘと同軸に、且つローラ本体１１を貫通して形成されており、保持孔１１ｈには後述する保持部２の紐２１が通されている。保持孔１１ｈの中心軸Ｘと直交する断面の形状は円形である。ローラ本体１１の直径は、限定はされないが１０ｍｍ〜３０ｍｍ程度であることが望ましく、１５ｍｍ〜２５ｍｍ程度であることがより望ましい。また、ローラ本体１１の左右方向の寸法は３０ｍｍ〜５０ｍｍ程度とすることが望ましく３５ｍｍ〜４５ｍｍ程度とすることがより望ましい。成人の足幅（最も広い部分における幅）は約８０ｍｍ〜１２０ｍｍ程度であり、踵幅（くるぶしの下方付近における幅）は約５０ｍｍ〜７０ｍｍ程度であるため、上記寸法とすることで、足裏で容易に操作して足裏の所望の位置だけを効果的に押圧することのできるローラ１が得られる。
【００２６】
本体１１の外周面には、この例では１５個の突起１２が設けられている。突起１２の形状及び配置を詳述する。
【００２７】
図２は図１のローラ１を右側から見た側面図であり、説明を容易とするため、図１において最も右側に配置された突起１２を実線で、左右中央に配置された突起１２を点線で描いている。図１において最も左側に配置された突起１２は、右側から見た場合には図１において最も右側に配置された突起１２に重複して、その背後に隠れる。
【００２８】
図１及び図２より理解される通り、本実施形態のローラ１の外表面１１ａには、周方向に等間隔で配置された５つの突起１２が、左右方向に等間隔に３周設けられている。左右方向において最も右側及び最も左側に設けられた５つの突起１２（図２において実線で描かれる突起１２）の周方向における位置は同一であり、左右方向において中央に設けられた５つの突起１２（図２において点線で描かれる突起１２）は周方向において、右側又は左側の５つの突起１２からずらして配置されている。
【００２９】
各突起１２は、図１、２に示す通り、頂面１２ｔと側面１２ｓを有する。頂面１２ｔは、ローラ１の中心軸Ｘを中心軸とする仮想円柱ＶＣ（図１、２）の外周面に沿って延在する曲面である。側面１２ｓはローラ１の外表面１１ａと頂面１２ｔとを繋ぐ２組の略平行面である。
【００３０】
ここで、各突起１２の頂面１２ｔの形状及び配置について、さらに説明する。図２に示す通り、ローラ１の右側及び左側に設けられた５つの突起１２の頂面１２ｔは周方向に隙間を有しながら、仮想円柱ＶＣの外表面に沿って配置されており、当該隙間には、ローラ１の左右方向の中央に設けられた５つの突起１２の頂面１２ｔが仮想円柱ＶＣの外表面に沿って配置されている。すなわち本実施形態のローラ１においては、１０個の頂面１２ｔが周方向に連続して隙間なく配置されている。
【００３１】
本実施形態のローラ１は、突起１２の頂面１２ｔがこのように配置されているため、平面上で中心軸Ｘを中心にローラ１を転動させた場合の軌跡は仮想円柱ＶＣを中心軸Ｘを中心に転動させた場合の軌跡と等しくなる。換言すれば、ローラ１は、上記の通り複雑な形状であるにもかかわらず、突起１２の頂面１２ｔを連続的に床面等に接触させて、円柱のように滑らかに回転移動することができる。
【００３２】
頂面１２ｔの面積は、限定はされないが２０ｍｍ２〜５０ｍｍ２程度であることが望ましく３０ｍｍ２〜４０ｍｍ２程度であることがより望ましい。これにより、足裏に適度の刺激を付与することが可能となる。また、左右方向に隣接する頂面１２ｔの中心１２ｔｃ間の直線距離ｄ１（図１）及び左右方向の一点において周方向に隣接する頂面１２ｔの中心１２ｔｃ間の周に沿った距離ｄ２（図２）は、いずれも１５ｍｍ以上であることが望ましく、２０ｍｍ以上であることがより望ましい。これは、仮に突起１２同士の間隔がこれよりも狭くなると、人間の足裏は複数の突起１２による刺激であっても単一の刺激として認識してしまうためである。よって突起１２同士の間隔を上記の通りとすることにより、複数の刺激を効率良く足裏に与えることができる。
【００３３】
ローラ１は、ゴム、プラスチック、木、金属など任意の材料で形成することができるが、床面等との接触によって発生する騒音を防止するためには、ゴムやプラスチックとすることが望ましい。また、ローラ本体１１と突起１２とは一体成形であってもよいし、別個に成形したローラ本体１１と突起１２とを接合したものであってもよい。、
【００３４】
保持部２は、ローラ１を身体から離れないように保持する部材であり、紐２１、調整具２２、スライド留め具２３、エンド部材２４を有する。紐２１は、図１に示す通り、エンド部材２４で両端部が連結された環であり、略８の字形となるように紐２１が交差または接合され、その交差部（または接合部）ＣＲに円筒状の調整具２２がスライド可能に取り付けられている。すなわち、紐２１は調整具２２を境に二つの環部に二分されており、一方の環部の紐２１にはローラ１が通されており、他方の環部の紐２１にはスライド留め具２３が取り付けられている。ローラ１を保持する環部をローラ保持環２１Ｒと呼び、スライド留め具２３が取り付けられた環部を装着環２１Ｐと呼ぶ。
【００３５】
ローラ保持環２１Ｒの紐２１はローラ１の保持孔１１ｈに通されているため、ローラ１を周方向に回転自在且つ左右方向（中心軸Ｘ方向）にスライド自在に保持している。図１に示す通り、調整具２２の両側から紐２１を矢印Ｌの方向に引っ張れば、装着環２１Ｐの寸法（環の全長）が小さくなりローラ保持環２１Ｒの寸法が大きくなる。反対に調整具２２の両側から紐２１を矢印Ｓの方向に引っ張れば、装着環２１Ｐの寸法が大きくなりローラ保持環２１Ｒの寸法が小さくなる。
【００３６】
装着環２１Ｐは、押圧具１００を足首に装着するための環部であり、スライド留め具２３をスライドさせて寸法調整が可能である。スライド留め具２３としては、一例として市販のコードアジャスタを使用することができる。
【００３７】
紐２１は任意の丸紐を用い得るが、ローラ１の保持孔１１ｈ内で摺動すること、また身体に接触することからすれば、適度な弾性と耐摩耗性を有することが好ましく、合成繊維、例えばダイニーマ（登録商標）のような超強力ポリスチレン繊維や、ナイロン繊維、アクリル繊維等を用い得る。
【００３８】
次に、本実施形態の押圧具１００の使用方法を説明する。
【００３９】
本実施形態の押圧具１００を使用する時には、図３（ａ）に示すように、装着環２１Ｐを足首に装着して、調整具２２を足首の近傍に配置し、ローラ１を足の裏に配置する。この状態で足を前方に移動させると、ローラ１は足の裏を押圧しながら回転して、図３（ａ）の下図に示すように、踵まで移動する。次いで足を後方に移動させるとローラ１は足の裏を押圧しながら回転して、図３（ａ）の上図に示すように爪先まで移動する。
【００４０】
また、ローラ１の移動距離を規制したい場合は、上述した調整具２２を使用して、ローラ保持環２１Ｒの寸法を小さくする。ローラ保持環２１Ｒの寸法を小さくすることでローラ１が調整部２２に対して移動可能な距離が小さくなり、図３（ｂ）に示すように、ローラ１の可動範囲が小さくなる。例えば土踏まずだけを集中的に刺激したい場合などは、このようにローラ１の可動範囲を小さくすればよい。
【００４１】
本実施形態においては、上述の通り、ローラ１の左右方向の寸法が標準的な成人の足幅及び踵幅よりも小さい。したがって図４に示すように足を斜めに移動してローラ１を操作すれば、足裏の所望の位置にローラ１を配置することができ、ひいては足裏の任意な位置をピンポイントで押圧することができる。ローラ保持環２１Ｒは柔軟な紐２１であるため、このような自在な移動が可能である。
【００４２】
本実施形態の押圧具１００の効果を以下にまとめる。
【００４３】
本実施形態の押圧具１００は装着環２１Ｐを有しており、押圧具１００を足首に装着した状態で使用することが可能である。したがって使用者がローラ１の操作に特別注意を払わなくても、ローラ１が足から離間したり、意図しない方向に転がり去ってしまう恐れがない。よって使用者は、読書やデスクワークに集中しながら、負担なく押圧具１００を使用することができる。また使用後に押圧具１００を置き忘れる恐れもない。
【００４４】
本実施形態の押圧具１００は、柔軟な紐２１で形成されたローラ保持環２１Ｒによってローラ１を回転自在且つ中心軸Ｘ方向にスライド自在に保持している。よって使用者は、足裏を用いてローラ１を前後方向や斜め方向に自在に移動することができ、足裏の所望の位置を自在に押圧することができる。
【００４５】
本実施形態の押圧具１００においては、ローラ１の左右方向の寸法が、成人の標準的な足幅及び踵幅より小さい。よって使用者は、足裏の所望の位置をピンポイントに押圧することができる。また押圧具１００全体をコンパクトにして持ち運びの負担を軽くすることができる。
【００４６】
本実施形態の押圧具１００のローラ１においては、周方向に配置された１０個の突起１２の頂面１２ｔが、ローラ１の中心軸Ｘを中心とする仮想円柱ＶＣの周方向に連続して隙間なく配置されている。したがって使用者は、ローラ１を滑らかに回転させて良好に操作することができる。
【００４７】
本実施形態の押圧具１００のローラ１においては、突起１２の頂面１２ｔの中央部１２ｔｃ同士が１５ｍｍ以上離間している。したがって、複数の刺激を効率良く足の裏に与えることができる。
【００４８】
本実施形態の押圧具１００においては、調整具２２を用いてローラ保持環２１Ｒの寸法を調整することができる。したがって使用者は、ローラ１の可動範囲を自在に調整することができる。
【００４９】
本実施形態の押圧具１００においては、一本の紐２１に調整具２２を通すことでローラ保持環２１Ｒと装着環２１Ｐを別々にもたらしている。それゆえ、部品点数が少なく製造が容易である。
【００５０】
次に本実施形態の押圧具１００の変形例を説明する。
【００５１】
＜変形例＞
上記実施形態においては、ローラ保持環２１Ｒと装着環２１Ｐとが一本の紐２１により一体に形成されていたがこれには限られない。変形例１の押圧具１１０（図５）のように、ローラ保持環２１Ｒが、可撓性を有する枠３により形成されていてもよい。
【００５２】
枠３は一対の長辺と一対の短辺を有する長方形であり、断面は円形である。枠３の一対の長辺の一方はローラ１の保持孔１１ｈに通されており、これによりローラ１を周方向に回転自在且つ左右方向にスライド自在に保持している。枠３は樹脂やゴム等の可撓性の材料により形成されており、長辺方向及び短辺方向に撓むことができる。
【００５３】
または、変形例２の押圧具１２０（図６）のように、装着部２１Ｐをバンド４で形成してもよい。バンド４は、一端近傍の外面４ａと、他端近傍の内面４ｂに設けられた面ファスナーを用いて、足首に取り付けることができる。また変形例２の押圧具１２０は、ローラ保持環２１Ｒとバンド４との接続部に、調整具２２２を有しており、調整具２２２を操作して紐２１を矢印Ｌの方向に引くことでローラ保持環２１Ｒの寸法を大きく、紐２１を矢印Ｓの方向に引くことでローラ保持環２１Ｒの寸法を小さくできる。
【００５４】
その他、リング保持環２１Ｒと装着環２１Ｐとを分離した２本の紐で形成してもよい。この場合は一本の紐により形成されたリング保持環２１Ｒと、他の一本の紐により形成された装着環２１Ｐを一点において接着することで、ローラ保持環２１Ｒと装着環２１Ｐが接続された保持部２を得ることができる。また、リング保持環２１Ｒを上記変形例１の枠３とし、装着部２１Ｐを上記変形例２のバンド４とすることも可能である。
【００５５】
なお、上記の実施形態及び変形例のローラ１においては、１０個の頂面１２ｔが周方向に連続して隙間なく配置されていたがこれには限られない。図２において実線で描かれた頂面１２ｔ（ローラ１の右側又は左側に配置された突起１２の頂面１２ｔ）と点線で描かれた頂面１２ｔ（ローラ１の左右中央に配置された突起１２の頂面１２ｔ）との間に周方向の隙間Ｇ（図７）が存在していてもよい。この隙間Ｇの大きさは、図７に示す通り、ある突起１２の頂面１２ｔの周方向の一端部と、ある突起１２に周方向において隣接する他の突起１２の頂面１２ｔの周方向の一端部であって、ある突起１２側に位置する一端部との間の角度Ａとして表すことができる。ここで、上記の実施形態及び変形例のローラ１において、突起１２間に周方向の隙間Ｇを設けて角度Ａを５°〜１５°とすることで、突起１２による足裏の刺激をより気持ちよく行うことができる。また、角度Ａを８°〜１１°とすることで、突起１２による足裏の刺激をより一層気持ちよく行うことができる。一方でローラ１は、突起１２間に周方向の隙間Ｇが設けられていても、角度Ａが１５°程度よりも小さければ、平面上で中心軸Ｘを中心にローラ１を転動させた場合の軌跡は仮想円柱ＶＣを中心軸Ｘを中心に転動させた場合の軌跡とほぼ等しくなる。したがって、突起１２間に周方向の隙間Ｇを設けて角度Ａを５°〜１５°とすることが望ましく、角度Ａを８°〜１１°とすることがより望ましい。
【００５６】
なお、上記の実施形態及び変形例のローラ１においては、周方向に等間隔で配置された５つの突起１２が、左右方向に等間隔に３周設けられていたがこれには限られない。周方向に設ける突起１２の数、及び左右方向に設ける突起の数は、所望する押圧刺激の強度等に応じて任意に設定することができる。例えば、周方向に５つ、左右方向に２周の計１０個の突起１２を設けてもよい。
【００５７】
なお、上記の実施形態及び変形例のローラ１は、ローラ保持環２１Ｒによって周方向及び軸方向に移動自在に保持されていたが、軸方向の移動は規制されていてもよい。また、ローラ保持環２１Ｒがローラ１を周方向に回転自在に保持する方法は、ローラ１が紐２１に対して自在に回転するような態様に限られない。例えばローラ１の左右端面に紐２１を接合してローラ１を保持し、ローラ１の回転時には紐２１がねじられるような態様であってもよい。
【００５８】
なお、上記実施形態及び変形例のローラ１に代えて、図８のローラ７を用いることもできる。ローラ７は、本体７１と複数の突起７２を有する。ローラ７とローラ１とでは、突起の形状が異なっている。
【００５９】
図８（ｂ）は図８（ａ）のローラ７を右側から見た様子であり、図２と同様に、図８（ａ）において最も右側に配置された突起７２を実線で、左右中央に配置された突起７２を点線で描いている。図８（ａ）において最も左側に配置された突起７２は、右側から見た場合には図８（ａ）において最も右側に配置された突起７２に重複して、その背後に隠れる。
【００６０】
図８（ａ）、図８（ｂ）より理解される通り、ローラ７の外表面７１ａには、周方向に等間隔で配置された５つの突起７２が、左右方向に等間隔に３周設けられている。左右方向において最も右側及び最も左側に設けられた５つの突起７２の周方向における位置（図８（ｂ）において実線で描かれる突起７２）は同一であり、左右方向において中央に設けられた５つの突起７２（図８（ｂ）において点線で描かれる突起７２）は周方向において、右側又は左側の５つの突起７２からずらして配置されている。
【００６１】
各突起７２は、図８（ａ）、図８（ｂ）に示す通り、半球状の頂部７２ｔと円柱状の胴部７２ｂを有する。頂部７２ｔの中心７２ｔｃは、ローラ７の中心軸Ｘを中心軸とする仮想円柱ＶＣの外周面に沿って配置されている。左右方向に隣接する頂部７２ｔの中心７２ｔｃ間の直線距離ｄ３及び左右方向の一点において周方向に隣接する頂面７２ｔの中心７２ｔｃ間の周に沿った距離ｄ４は、いずれも１５ｍｍ以上であることが望ましく、２０ｍｍ以上であることがより望ましい。
【００６２】
なお、上記実施形態のローラ１に代えて、図９のローラ８を用いることもできる。図９のローラ８は、左右方向中央に、周方向に均等に配置された５つの突起８２を有する。突起８２は、半球状の頂部８２ｔと円柱状の胴部８２ｂを有する。頂部８２ｔの中心８２ｔｃは、ローラ８の中心軸Ｘを中心軸とする仮想円柱ＶＣの外周面に沿って配置されている。すなわち図９のローラ８は、図８のローラ７から左側に配置された５つの突起７２及び右側に配列された５つの突起７２を除いたものに等しい。ローラ８を用いれば、局所的な刺激をより効率よく与えることができる。
【００６３】
なお、上記実施形態及び変形例のローラに代えて、突起を有さない円筒状のローラを使用してもよい。ローラの半径は軸方向において一定である必要はなく、例えば軸方向両端部における半径が軸方向中央部における半径よりも小さいローラや、反対に軸方向両端部における半径が軸方向中央部における半径よりも大きいローラを使用することもできる。また、上記実施形態及び変形例のローラ１に代えて球を使用しても良く、５角柱、角６角柱等の多角柱を使用してもよい。
【００６４】
なお、上記実施形態の押圧具において調整具２２を省略することもできる。この場合は、紐２１をねじって８の字を形成して交差部を接合し、一方の環をローラ保持環２１Ｒとし、他方の環を装着環２１Ｐとすればよい。交差部の接合は接着材や縫い付け等を使用した半永久的な接合でもよく、クリップ等を使用した分離可能な接合であってもよい。なお、クリップを使用して交差部を接合する場合は、交差位置を調整することでローラ保持環２１Ｒの寸法を調整することができる。
【００６５】
なお、上記実施形態及び変形例の押圧具においては、紐２１は丸紐であったがこれには限られない。紐２１の断面形状は任意であるが、ローラ１を良好に回転させるためには丸、楕円等が望ましい。
【００６６】
なお、上記実施形態及び変形例においては、押圧具を足裏に刺激を与える器具として説明したが、押圧具により刺激を与える部位は足の裏には限られず、例えば手の平であってもよい。手の平にも足の裏と同様の反射区が存在するため、押圧具で手の平を刺激することは望ましい。押圧具で手の平を刺激する場合は、装着部２１Ｐを手首に装着する。
なお、操作が容易であり且つより快適な刺激を使用者に与えることの出来るローラも望まれているが、本明細書に開示した複数の突起１２を有するローラ１は、上記した新規な構造を有しており、複数の突起１２の頂面１２ｔを連続的に床面等に接触させて良好に回転し、かつ使用者に快適な刺激を与えることができる。したがって、保持部２を有さないローラ１や、保持部２とは異なる部材と接続されたローラ１を使用して、操作が容易であり且つより快適な刺激を使用者に与えることの出来るローラを提供するという課題を解決することもできる。
【００６７】
本発明の特徴を維持する限り、本発明は上記実施の形態に限定されるものではなく、本発明の技術的思想の範囲内で考えられるその他の形態についても、本発明の範囲内に含まれる。
【産業上の利用可能性】
【００６８】
本発明によれば、使用者が注意を払わなくても良好に身体の押圧を継続できる押圧具が提供される。したがって、読書やデスクワークに集中しながらでも好適に使用できる押圧具を市場に提供することができる。
【符号の説明】
【００６９】
１、７、８  ローラ
２  保持部
３  枠
４  バンド
１１、７１、８１  ローラ本体
１２、７２、８２  突起
２１  紐
２２  調整具
２３  スライド留め具
２４  エンド部材
２１Ｒ  ローラ保持環
２１Ｐ  装着環
【要約】      （修正有）【課題】押圧すべき身体部位の近傍に保持することが容易であり且つ自在な押圧を身体に付与することが可能な押圧具を提供する。【解決手段】身体の一部に押圧刺激を与えるための押圧具１００は、身体を押圧する押圧部材１と、前記押圧部材を回転可能に保持する押圧部材保持環２１Ｒと、前記押圧具を身体に取り付けるための装着部２１Ｐとを有する。前記装着部２１Ｐは前記押圧部材保持環２１Ｒに接続されている。【選択図】図１【図１】
0005796800.tif 000002
【図２】
0005796800.tif 000003
【図３】
0005796800.tif 000004
【図４】
0005796800.tif 000005
【図５】
0005796800.tif 000006
【図６】
0005796800.tif 000007
【図７】
0005796800.tif 000008
【図８】
0005796800.tif 000009
【図９】
0005796800.tif 000010